(57)【要約】 【課題】簡単な構成で長期間安定した特性を提供するスピーカ装置を提供する。【解決手段】環状の第１取付リング３２０の外周側の糊代部３２１を振動板３００の取付孔３１０の開口縁の表面側に取り付ける。第１取付リング３２０の内周側で取付孔３１０の開口縁より中心に向けて鍔状に突出する傾斜面部３２２をボイスボビン２３１の外周面に取り付ける。平板環状の第２取付リング３３０の外周側を振動板３００の他面側である裏面側に取り付ける。第２取付リング３３０の取付孔３１０の開口縁より中心に向けて鍔状に突出する内周側をボイスボビン２３１の外周面に取り付ける。ボイスコイルボビンの移動の際に取付孔３１０の周縁に作用する押圧力および引張力が分散し、連結箇所となる取付孔３１０の周縁の損傷を長期間防止できる。【選択図】図１
2007110647.tif 000002
【特許請求の範囲】
【請求項１】
コイルが巻装されたボイスボビンが嵌挿される取付孔を開口したシート状の振動板本体と、
この振動板本体の一面側に前記取付孔の開口縁に位置して外周側が取り付けられ、前記取付孔の開口縁より中心に向けて鍔状に突出する内周側が前記ボイスボビンの外周面に取り付けられる環状の第１取付部と、
前記振動板本体の他面側に前記取付孔の開口縁に位置して外周側が取り付けられ、前記取付孔の開口縁より中心に向けて鍔状に突出する内周側が前記ボイスボビンの外周面に取り付けられる環状の第２取付部と、
を具備したことを特徴とした振動板。
【請求項２】
請求項１に記載の振動板であって、
前記第１取付部は、前記振動板本体の一面側に取り付けられる平板環状の糊代部と、この糊代部の内周縁から前記取付孔の中心に向けて鍔状に突出し内周縁が前記ボイスボビンに取り付けられる取付面部とを備えた
ことを特徴とした振動板。
【請求項３】
請求項２に記載の振動板であって、
前記第１取付部の取付面部は、内周側が裏面側に向けて傾斜し一面側に向けて拡開する状態に形成された
ことを特徴とした振動板。
【請求項４】
請求項１ないし請求項３のいずれかに記載の振動板であって、
前記第１取付部および前記第２取付部のうちの少なくともいずれか一方は、放射状に複数の補強リブ、または前記取付孔から鍔状に突出する部分に設けられた周方向に沿った補強リブを有した
ことを特徴とした振動板。
【請求項５】
請求項１ないし請求項４のいずれかに記載の振動板であって、
前記第１取付部および前記第２取付部は、内周側が一連に連結された
ことを特徴とした振動板。
【請求項６】
請求項１ないし請求項５のいずれかに記載の振動板であって、
前記第１取付部および前記第２取付部は、熱伝導性が高い金属にて形成された
ことを特徴とした振動板。
【請求項７】
請求項１ないし請求項６のいずれかに記載の振動板であって、
前記第１取付部および第２取付部のうちの少なくともいずれか一方は、少なくとも表面の一部が黒色である
ことを特徴とした振動板。
【請求項８】
請求項１ないし請求項７のいずれかに記載の振動板であって、
前記振動板本体は、シート状部材間に構造体を備えた積層構造に形成、または発泡材料にて形成された肉厚構造である
ことを特徴とした振動板。
【請求項９】
請求項１ないし請求項８のいずれかに記載の振動板と、
コイルが巻装され前記振動板に取り付けられるボイスボビンと、
振動板が取り付けられるフレームに配設された磁気回路と、
を具備したことを特徴としたスピーカ装置。
【発明の詳細な説明】
【技術分野】
【０００１】
本発明は、ボイスボビンが取り付けられる振動板およびスピーカ装置に関する。
【背景技術】
【０００２】
従来、この種のスピーカ装置として、積層構造の比較的に厚さ寸法が厚い振動板と、ボイスボビンにボイスコイルが巻装されたボイスコイルボビンとを取り付ける方法として、補強部材を設ける構成が知られている（例えば、特許文献１参照）。この特許文献１に記載のものは、コアの両面にスキン層を設けた積層構造の振動板におけるボイスボビンが取り付けられるスキン層とコアとの間の接着剤などの中間層の中に、ボイスコイルボビンの直径より大きなアルミやカーボンなどのシート材の如き補強層を配置する。補強層により、ボイスコイルボビンとスキン層との接続箇所をスキン層の内側から補強し、スキン層が剥離するなどを防止している。
【０００３】
【特許文献１】特開昭６０−５７７９８号公報
【発明の開示】
【発明が解決しようとする課題】
【０００４】
しかしながら、特許文献１に記載のような構成では、ボイスコイルボビンの軸方向の移動により振動板の厚さ方向へ圧縮力および引張力が作用するので、単に補強部材を設けるのみでは、ボイスコイルボビンと振動板との十分な連結状態が長期間得られにくい問題が一例として挙げられる。
【０００５】
本発明は、このような実情などに鑑みて、簡単な構成で長期間安定した特性を提供する振動板およびスピーカ装置を提供することを１つの目的とする。
【課題を解決するための手段】
【０００６】
請求項１に記載の発明は、コイルが巻装されたボイスボビンが嵌挿される取付孔を開口したシート状の振動板本体と、この振動板本体の一面側に前記取付孔の開口縁に位置して外周側が取り付けられ、前記取付孔の開口縁より中心に向けて鍔状に突出する内周側が前記ボイスボビンの外周面に取り付けられる環状の第１取付部と、前記振動板本体の他面側に前記取付孔の開口縁に位置して外周側が取り付けられ、前記取付孔の開口縁より中心に向けて鍔状に突出する内周側が前記ボイスボビンの外周面に取り付けられる環状の第２取付部と、を具備したことを特徴とした振動板である。
【０００７】
請求項９に記載の発明は、請求項１ないし請求項８のいずれかに記載の振動板と、コイルが巻装され前記振動板に取り付けられるボイスボビンと、振動板が取り付けられるフレームに配設された磁気回路と、を具備したことを特徴としたスピーカ装置である。
【発明を実施するための最良の形態】
【０００８】
以下、本発明の実施の一形態を図面に基づいて説明する。本実施の形態では、フラット型のスピーカ装置を例示するが、例えばコーン型など、各種のスピーカ装置に適用できる。また、１つの振動板を複数のスピーカユニットにより振動させる構成などにも適用できる。図１は、スピーカ装置の一部を切り欠いた部分断面図である。図２は、スピーカユニットを示す一部を切り欠いた平面図である。図３は、第２取付リングを示す下面からの平面図である。
【０００９】
〔スピーカ装置の構成〕
図１において、１００はスピーカ装置で、このスピーカ装置１００は、電気的に接続される図示しない再生装置などから出力される電気信号である音声データを発音により出力する。このスピーカ装置１００は、図２に示すスピーカユニット２００と、振動板本体としての振動板３００と、などを備えている。スピーカユニット２００は、いわゆるダブルマグネットの内磁型で、本体部２１０と、一対の磁石２２１，２２２と、ボイスコイルボビン２３０と、ダンパ２４０と、などを備えている。
【００１０】
スピーカユニット２００の本体部２１０は、例えば硬質の合成樹脂や軽量金属材料などにて形成されている。そして、本体部２１０は、枠状で中央に周縁部から連続する取付台座部２１１Ａを有したフレーム２１１と、このフレーム２１１に一体的に取り付けられた磁気回路部２１２と、を備えている。
【００１１】
フレーム２１１は、周縁部に振動板３００が張設される状態に振動板３００の周縁部分が取り付けられる。磁気回路部２１２は、ヨーク２１２Ａと、中ポール２１２Ｂと、上ポール２１２Ｃと、を備えている。ヨーク２１２Ａは、磁性材料にて略有底円筒状に形成されている。このヨーク２１２Ａは、略円板状で底面がフレーム２１１の取付台座部２１１Ａに取り付けられる底部２１２Ａ１と、この底部２１２Ａ１の周縁から円筒状に一連に設けられた円筒部２１２Ａ２と、底部２１２Ａ１の略中央に外周面が円筒部２１２Ａ２の内周面に所定の間隙を介して対向する状態に円柱状に設けられた載置部２１２Ａ３と、を備えている。また、中ポール２１２Ｂは、磁性材料にてヨーク２１２Ａの円筒部２１２Ａ２の内径より径小の円板状に形成されている。そして、中ポール２１２Ｂは、ヨーク２１２Ａの円筒部２１２Ａ２の内径より径小の円柱状の一方の磁石２２１を、ヨーク２１２Ａの載置部２１２Ａ３とにて挾持する状態に例えば接着剤にて磁石２２１を介して載置部２１２Ａ３に一体的に取り付けられる。さらに、上ポール２１２Ｃは、中ポール２１２Ｂと同様に磁性材料にて円板状に形成され、中ポール２１２Ｂとにて他方の磁石２２２を一方の磁石２２１に対して軸方向における磁極が異なる方向で挾持する状態に、例えば接着剤にて他方の磁石２２２を介して中ポール２１２Ｂに一体的に取り付けられる。これら中ポール２１２Ｂおよび上ポール２１２Ｃが取り付けられた状態では、中ポール２１２Ｂおよび上ポール２１２Ｃの外周面とヨーク２１２Ａの円筒部２１２Ａ２の内周面とが所定の間隙で対向して磁気ギャップを形成する。そして、磁石２２１，２２２および磁気回路部２１２にて磁気回路が構成される。
【００１２】
また、ヨーク２１２Ａには、環状の取付部材２１２Ｄが設けられている。この取付部材２１２Ｄは、内周側にヨーク２１２Ａの円筒部２１２Ａ２を嵌合して例えば接着剤などにてヨーク２１２Ａに一体的に取り付けられる取付胴体部２１２Ｄ１を有している。この取付胴体部２１２Ｄ１の軸方向の一端側には、外方に向けて鍔状に突出し、さらに先端側である外周縁が一側となる上方に円筒状に屈曲形成された取付段差部２１２Ｄ２が一連に設けられている。この取付段差部２１２Ｄ２は、取付胴体部２１２Ｄ１がヨーク２１２Ａの円筒部２１２Ａ２に取り付けられた状態で、取付胴体部２１２Ｄ１より上方に円筒部２１２Ａ２が突出する寸法と略同寸法に外周縁が屈曲形成されている。また、取付部材２１２Ｄには、取付段差部２１２Ｄ２の外周面の一部に、図１および図２に示すように、一対の端子２１２Ｅ１を有したターミナル２１２Ｅが取り付けられている。なお、図２は、説明の都合上、スピーカユニット２００における一部を切り欠いた平面図として示す。
【００１３】
ボイスコイルボビン２３０は、図１に示すように、略円筒状のボイスボビン２３１と、このボイスボビン２３１の外周面に巻装されるコイルであるボイスコイル２３２と、を備えている。ボイスボビン２３１は、例えば表面が防触処理されたマグネシウム薄板や、チタン合金、紙パルプ、各種繊維の織布あるいは不織布のシート部材などにて略円筒状に形成されている。そして、ボイスボビン２３１の軸方向の一端面には、ボイスボビン２３１の一端側に向けて拡開する状態に凹曲面状である球面凹状のいわゆるキャップであるセンターキャップ２３３が一体的に設けられている。一方、ボイスコイル２３２は、ボイスボビン２３１の軸方向の他端側の外周面に巻装されている。このボイスコイル２３２は、例えば耐熱処理された図示しない導線がボイスボビン２３１に巻回されて接着剤などにて固定されて構成されている。なお、ボイスコイル２３２の導線の両端部が引き出され、ターミナル２１２Ｅの端子２１２Ｅ１に接続されて音声データの入力端となる。
【００１４】
また、ボイスコイルボビン２３０には、ドーム部２２５が一体的に取り付けられている。このドーム部２２５は、例えば導電性が高い金属、具体的にはアルミニウム合金のプレス加工により環状に形成されている。このドーム部２２５は、内径がボイスボビン２３１の外径と略同寸法の略円筒状に形成された取付部２２５Ａと、この取付部２２５Ａの軸方向の一端縁が外周方向に鍔状に屈曲形成されたリング部２２５Ｂと、このリング部２２５Ｂの外周縁が取付部２２５Ａと同方向に略円筒状に屈曲された段差部２２５Ｃと、を一連に有した環状に形成されている。そして、ドーム部２２５は、詳細は後述するが、ボイスコイルボビン２３０が軸方向で移動した際に、ドーム部２２５がヨーク２１２Ａの円筒部２１２Ａ２の上端部に当接しない位置に、取付部２２５Ａがボイスボビン２３１に例えば接着剤にて取り付けられる。このドーム部２２５は、取り付けられた状態で、ドーム部２２５の段差部２２５Ｃが取付部材２１２Ｄより上方に突出するヨーク２１２Ａの円筒部２１２Ａ２の外周側に位置する状態に形成されている。そして、このドーム部２２５が取り付けられた状態では、取付部２２５Ａおよびリング部２２５Ｂとの折曲部分における外面側が円弧状に屈曲する状態で加工されることから、この曲面の部分とボイスボビン２３１の外周面との間が、接着剤の溜まり部分となる。また、ドーム部２２５は、外面に黒色塗膜が形成されている。
【００１５】
ダンパ２４０は、例えば各種繊維の織布あるいは不織布のシート部材などにて略薄膜リング状で、径方向に断面波形状に形成されている。このダンパ２４０は、略円筒状で内周面がドーム部２２５の段差部２２５Ｃの外周面に例えば接着剤などにて一体的に取り付けられる取付円筒部２４１を有している。また、ダンパ２４０は、取付円筒部２４１の軸方向の一端に径方向に鍔状で、径方向に波形状に形成された可動部２４２を一連に設けている。さらに、ダンパ２４０は、可動部２４２の外周縁に外方に鍔状に突出し、取付部材２１２Ｄの取付段差部２１２Ｄ２の先端部となる上端面に例えば接着剤にて取り付けられる取付鍔部２４３を一連に設けている。そして、ダンパ２４０は、取付円筒部２４１の内周面がボイスコイルボビン２３０に取り付けられたドーム部２２５の段差部２２５Ｃの外周面に例えば接着剤にて取り付けられるとともに、取付鍔部２４３が取付部材２１２Ｄの取付段差部２１２Ｄ２の上端面に例えば接着剤にて取り付けられ、ドーム部２２５を介してボイスコイルボビン２３０を軸方向で移動可能に本体部２１０に取付支持する。
【００１６】
振動板３００は、例えば一対の図示しないシート部材間に厚さ方向に軸方向を有するハニカム構造が設けられた略厚膜状に形成されている。この振動板３００は、フレーム２１１の一面側を閉塞する状態に周縁部がフレーム２１１の周縁に一体的に接着剤などにて取り付けられている。そして、振動板３００の略中央には、ボイスコイルボビン２３０の一端が取り付けられる取付孔３１０が開口形成されている。また、振動板３００には、取付孔３１０の開口縁における振動板３００の両面に、対をなす第１取付部としての第１取付リング３２０および第１取付部としての第２取付リング３３０が設けられている。
【００１７】
第１取付リング３２０は、図１に示すように、例えば導電性が高い金属、具体的にはアルミニウム合金のプレス加工により、内径がボイスボビン２３１の外形寸法と略同寸法に環状に形成されている。そして、第１取付リング３２０は、例えば外面に黒色塗膜が形成されている。なお、図１では、説明の都合上、第１取付リング３２０とボイスボビン２３１との間に隙間が生じる状態を示すが、隙間は無くてよい。また、寸法公差などにより多少隙間が生じる場合、例えば接着剤などが隙間に充填されて接着できる程度の僅かなものである。そして、第１取付リング３２０は、例えば振動板３００の取付孔３１０の周縁に沿ったリング状で振動板３００に例えば接着剤などにて取り付けられる糊代部３２１と、この糊代部３２１の内周縁に一連に屈曲形成され一面側となる上方に向けて拡開する状態に傾斜する取付面部としての傾斜面部３２２と、を有し、環状に形成されている。この第１取付リング３２０は、糊代部３２１が振動板３００の表面側となる上面側に取り付けられ、傾斜面部３２２の内周縁がボイスボビン２３１を嵌挿する状態で例えば接着剤にて取り付けられ、ボイスコイルボビン２３０を振動板３００に取付支持する。なお、この第１取付リング３２０が取り付けられた状態では、傾斜面部３２２の内周縁における内面側とボイスボビン２３１の外周面との断面で鋭角となる部分が、接着剤の溜まり部分となる。
【００１８】
一方、第２取付リング３３０は、第１取付リング３２０と同様に、例えば導電性が高い金属、具体的にはアルミニウム合金のプレス加工により、内径がボイスボビン２３１の外形寸法と略同寸法に略平板環状に形成されている。そして、第２取付リング３３０は、例えば外面に黒色塗膜が形成されている。なお、図１では、説明の都合上、第２取付リング３３０とボイスボビン２３１との間に隙間が生じる状態を示すが、隙間は無くてよい。また、寸法公差などにより多少隙間が生じる場合、例えば接着剤などが隙間に充填されて接着できる程度の僅かなものである。そして、第２取付リング３３０は、図１および図３に示すように、一面側に膨出する状態に径方向に長手状の補強リブとしての補強凹凸部３３１が放射状に複数設けられている。さらに、第２取付リング３３０は、内周縁が補強凹凸部３３１の突出する側に補強凹凸部３３１が突出する高さと略同寸法程度に屈曲された液溜まり部３３２が形成されている。そして、第２取付リング３３０は、外周側略半面が振動板３００の裏面側となる下面側に取り付けられ、液溜まり部３３２の内周縁がボイスボビン２３１を嵌挿する状態で例えば接着剤にて取り付けられ、ボイスコイルボビン２３０を振動板３００に取付支持する。なお、この第２取付リング３３０が取り付けられた状態では、液溜まり部３３２の内周面とボイスボビン２３１の外周面との間の部分が、接着剤の溜まり部分となる。
【００１９】
〔スピーカ装置の動作〕
次に、上記したスピーカ装置１００の動作について説明する。
【００２０】
（スピーカ装置の製造動作）
まず、スピーカ装置１００の動作として、スピーカ装置１００を製造する動作について説明する。
【００２１】
あらかじめ形成したボイスコイルボビン２３０のボイスコイル２３２側にドーム部２２５の段差部２２５Ｃが屈曲する方向となる状態で、ドーム部２２５の取付部２２５Ａの内周面側にボイスコイルボビン２３０を嵌挿し、所定の位置関係で例えば接着剤にて取付固定する。この接着剤による取付の際、取付部２２５Ａおよびリング部２２５Ｂとの折曲部分における曲面状となる外面側から接着剤を注入して接着させる。すなわち、取付部２２５Ａおよびリング部２２５Ｂとの折曲部分における曲面状となる外面側が接着剤の液溜まりとなり、接着強度が容易に得られるためである。さらに、ドーム部２２５の段差部２２５Ｃの先端外周面に、ダンパ２４０の取付円筒部２４１を例えば接着剤にて取り付ける。そして、ダンパ２４０の取付鍔部２４３を本体部２１０に取り付けられた取付部材２１２Ｄの取付段差部２１２Ｄ２の先端部に接着剤などにて取り付け、ダンパ２４０を介してボイスコイルボビン２３０を軸方向で移動可能に本体部２１０に取付支持する。
【００２２】
また、振動板３００の取付孔３１０の中心軸に、ボイスコイルボビン２３０の中心軸が同軸上に位置する状態に配置させ、第２取付リング３３０の外周側略半面が振動板３００の裏面側となる下面側に接着剤にて取り付け、さらに液溜まり部３３２の内周縁とボイスボビン２３１の外周面との間から接着剤を注入して取り付ける。この後、第１取付リング３２０の糊代部３２１を振動板３００の表面側となる上面側に接着剤にて取り付け、さらに傾斜面部３２２の内周縁とボイスボビン２３１の外周面との間から接着剤を注入して取り付ける。これら第１取付リング３２０および第２取付リング３３０の取付により、第１取付リング３２０および第２取付リング３３０を介してボイスコイルボビン２３０を振動板３００に取付支持する。この後、ボイスコイルボビン２３０の軸方向の一端側にセンターキャップ２３３を接着剤にて取り付けてスピーカ装置１００を組立形成する。
【００２３】
（スピーカ装置の発音動作）
次に、スピーカ装置１００の動作として発音動作について説明する。
【００２４】
まず、スピーカ装置１００のターミナル２１２Ｅの端子２１２Ｅ１に、音声データを出力する図示しない再生装置などの出力装置の出力端子を接続する。ここで、出力装置としては、テレビジョン、ラジオ、音響機器、パーソナルコンピュータ、記録媒体に記録された音データを読み取って出力するプレーヤなどが例示できる。また、記録媒体としては、ＣＤ（Compact Disc）やＤＶＤ（Digital Versatile Disc）などの光ディスクあるいは光磁気ディスク、ＨＤ（Hard Disk）やＦＤ（Flexible Disk）などの磁気ディスク、メモリカードなどが例示できる。なお、スピーカ装置１００を直接接続する出力装置はパワーアンプを備えた構成であり、アンプを備えない出力装置に接続する場合にはパワーアンプを介在させればよい。
【００２５】
そして、出力装置からの音声データがターミナル２１２Ｅの端子２１２Ｅ１へ入力されると、その入力された音声データの大きさに対応してボイスコイルボビン２３０が軸方向に移動し、振動板３００が振動する。この振動により、音声データは音声として出力される。この振動板３００の振動の際、大きな出力の音声データが入力されて大きくボイスコイルボビン２３０が軸方向で移動しても、ドーム部２２５によりダンパ２４０が磁気回路部２１２に接触せず、良好に振動できる。
【００２６】
〔実施の形態の作用効果〕
上述したように、上記実施の形態では、環状の第１取付リング３２０における外周側に設けられた平板環状の糊代部３２１を振動板３００の一面側である表面側に取付孔３１０の開口縁に位置して取り付け、この第１取付リング３２０における内周側に設けられ取付孔３１０の開口縁より中心に向けて鍔状に突出する傾斜面部３２２をボイスボビン２３１の外周面に取り付ける。さらに、平板環状の第２取付リング３３０の外周側を振動板３００の他面側である裏面側に取り付け、この第２取付リング３３０における取付孔３１０の開口縁より中心に向けて鍔状に突出する内周側をボイスボビン２３１の外周面に取り付ける。このため、振動板３００におけるボイスコイルボビン２３０との連結部分となる取付孔３１０の開口縁は第１取付リング３２０および第２取付リング３３０にて挾持される状態であることから、音声データの入力によりボイスコイルボビン２３０が軸方向で移動して振動板３００が振動する際に取付孔３１０の周縁に作用する押圧力および引張力が分散される状態となり、連結箇所となる取付孔３１０の周縁の損傷を防止できる。したがって、仮に大きな出力となる音声データが入力されても損傷することなく、また振動板３００が長期間損傷することはなく、安定した特性を維持できる。さらに、一対の第１取付リング３２０および第２取付リング３３０にて振動板３００を挾持する状態でボイスボビン２３１と軸方向の２箇所で連結することとなり、ボイスコイルボビン２３０の移動に伴って振動板３００も追従して一体的に移動する連結部分の剛性が容易に得られ、良好な音特性が得られる。さらには、第１取付リング３２０および第２取付リング３３０は、環状に形成されて、全周で振動板３００およびボイスボビン２３１と接着されるので、周方向の全周に応力を分散でき、安定した音特性が得られる。
【００２７】
そして、第１取付リング３２０として、取付孔３１０の開口縁に取り付けられる平板環状の糊代部３２１の内周縁に、取付孔３１０の中心に向けて鍔状に突出し内周側がボイスボビン２３１に取り付けられる傾斜面部３２２を設けた構成としている。このため、糊代部３２１および傾斜面部３２２を折れ線を介して折曲形成することにより、折れ線位置が取付孔３１０の開口縁に位置決めされる状態に取り付けることで位置決めして取り付ける工程が容易となり、スピーカ装置１００の製造性を向上できるとともに、第１取付リング３２０の軸方向での強度が向上し、第１取付リング３２０を肉薄に形成してもボイスコイルボビン２３０の移動により加わる厚さ方向での曲げ応力などの負荷で損傷することがなく、小型軽量化が容易にでき、振動板３００の振動阻害を防止でき、良好な音特性が得られる。
【００２８】
特に、傾斜面部３２２を振動板３００の裏面側に向けて傾斜する状態に折曲形成することにより、ボイスボビン２３１の外周面と傾斜面部３２２の内周面との間が断面において鋭角となる状態に対向することとなり、この部分が取り付けるための接着剤の溜まり部分となるので接着作業が容易にできるとともに、接着強度を容易に向上できる。
【００２９】
一方、第２取付リング３３０として、放射状に複数の補強凹凸部３３１を設けている。このため、第２取付リング３３０を肉薄に形成してもボイスコイルボビン２３０の移動により加わる厚さ方向での曲げ応力などの負荷で損傷することがなく、小型軽量化が容易にでき、振動板３００の振動阻害を防止でき、良好な音特性が得られる。
【００３０】
さらに、第２取付リング３３０の内周縁に液溜まり部３３２を設けている。このため、第２取付リング３３０とボイスボビン２３１との接着面積が拡大し接着強度を向上でき、より長期間損傷することなく安定した特性が得られる。
【００３１】
そして、第１取付リング３２０および第２取付リング３３０を熱伝導性が高い金属にて形成している。このため、音声データの入力、特に出力が大きくなる音声データの入力によりボイスコイル２３２が発熱しても、第１取付リング３２０および第２取付リング３３０が放熱部材として機能し、熱によるスピーカ装置１００の損傷を防止できる。さらに、金属にて形成することにより、ボイスコイルボビン２３０の移動により加わる厚さ方向での曲げ応力などの負荷で損傷することがなく、小型軽量化が容易にでき、振動板３００の振動阻害を防止でき、良好な音特性が得られる。そして、金属としてアルミニウム合金であることから、成型性が良好でかつ軽量であるとともに熱伝導性が高いので放熱効率も向上し、より安定した良好な特性が得られる。
【００３２】
さらに、第１取付リング３２０および第２取付リング３３０の表面に黒色塗膜を設けている。このため、放熱性がさらに向上し、より熱による損傷を防止でき、より安定した特性が得られる。
【００３３】
そして、このような第１取付リング３２０および第２取付リング３３０によりボイスボビン２３１と振動板３００とを連結する構成を利用するスピーカ装置１００では、良好な音声出力が長期間安定して得られる。
【００３４】
〔実施の形態の変形〕
なお、本発明は、上述した実施の一形態に限定されるものではなく、本発明の目的を達成できる範囲で以下に示される変形をも含むものである。
【００３５】
すなわち、上記実施の形態では、いわゆるダブルマグネット式の磁気回路部２１２を備えた構成について例示したが、例えば図４に示すようないわゆるシングルマグネットの構成としてもよい。なお、図４は、説明の都合上、振動板３００やフレーム２１１などを省略した図で、同様の構成については同一の符号を付したものである。この図４に示すいわゆるシングルマグネットの構成としても、上述した図１ないし図３に示す実施の形態と同様の作用効果を奏する。
【００３６】
さらには、内磁型のスピーカ装置１００を例示して説明したが、例えば図５に示すように、外磁型の構成としてもよい。なお、図５は、同様の構成について同一の符号を付したものである。この図５に示す外磁型のスピーカ装置５００は、図１ないし図３に示す実施の形態における磁気回路部２１２に代えて外磁型の磁気回路を備えたものである。この外磁型の磁気回路は、磁気回路部５１０と、リング状の磁石５２０とを備えている。
【００３７】
磁気回路部５１０は、ポールヨーク５１１と、ヨーク５１２と、を備えている。ポールヨーク５１１は、例えば磁性材料にて形成され、底面がフレーム２１１の取付台座部２１１Ａに取り付けられる略円板上の板部５１１Ａの略中央に一面側に略円筒状に突起部５１１Ｂを有した略凸状に形成されている。また、ヨーク５１２は、例えばポールヨーク５１１と同一の磁性材料にて略リング状に形成されている。このヨーク５１２は、平板リング状に形成されたヨーク部５１２Ａと、このヨーク部５１２Ａの内周縁に一連に設けられた円筒状の磁界形成部５１２Ｂと、ヨーク部５１２Ａの外周縁に一連に設けられた円筒状でダンパ２４０の取付鍔部２４３が取り付けられる取付段差部２１２Ｄ２を備え、略リング状に形成されている。そして、ヨーク５１２は、ポールヨーク５１１の板部５１１Ａとによりリング状の磁石５２０を挾持する状態に例えば接着剤にて磁石５２０を介して板部５１１Ａに一体的に取り付けられる。そして、磁気回路部５１０に磁石５２０を組み付けた状態は、突起部５１１Ｂの外周面がヨーク５１２の磁界形成部５１２Ｂの内周面に所定の間隙で対向して磁気ギャップを形成する状態となっている。このような図５に示す実施の形態でも同様の作用効果を奏する。
【００３８】
そして、ドーム部２２５を設けて説明したが、ドーム部２２５を設けず、ダンパ２４０をボイスボビン２３１に直接取り付ける構成としてもよい。さらに、ダンパ２４０を備えない構成としてもよい。
【００３９】
また、ドーム部２２５として、アルミニウム合金を用いて形成したが、例えばマグネシウム合金など、他の熱伝導性の高い金属を用いてもよい。さらには、金属のみならず、織布や樹脂製など各種材料を用いることができる。さらに、表面に黒色塗膜を設けて説明したが、全面に限らず一部のみ、さらには設けなくてもよい。さらに、黒色であれば塗膜に限られない。
【００４０】
さらに、ドーム部２２５として、上述した取付部２２５Ａ、リング部２２５Ｂおよび段差部２２５Ｃを設けた構成に限らず、例えば断面逆Ｕ字状に曲面状に屈曲形成してもよい。
【００４１】
また、第１取付リング３２０および第２取付リング３３０の形状は、上述した構成に限られない。具体的には、放射状に補強凹凸部３３１を設けた構成に代えて、例えば図６に示すような周方向に凹溝状の補強凹凸部３３１を設けた構成としてもよい。なお、図６は、上述した各実施の形態と同様の構成について同一の符号を付したものである。このような第２取付リング３３０を用いても同様の効果が得られる。同様に、第１取付リング３２０についても、上述した構成に限られない。
【００４２】
さらには、第１取付リング３２０および第２取付リング３３０の一対の部材を用いる場合に限らず、例えば図７に示す構成としてもよい。この図７は、上述した各実施の形態と同様の構成について同一の符号を付したものである。この図７に示す実施の形態は、上述した各実施の形態における第１取付リング３２０および第２取付リング３３０を一体に構成した取付リング６００を用いて、ボイスボビン２３１と振動板３００とを連結する構成である。すなわち、取付リング６００は、糊代部３２１に連続する傾斜面部３２２の内周縁に、内周面がボイスボビン２３１に接着される円筒状の接着円筒部６１０が一連に設けられている。そして、この接着円筒部６１０の軸方向の反対側の端部縁には、傾斜面部３２２と異なる傾斜状態で反対側となる下面側に傾斜する裏側傾斜面部６２０が一連に設けられている。さらに、この裏側傾斜面部６２０の拡開する側の端縁には、糊代部３２１と略平行にリング状で振動板３００の裏面側に取り付けられる裏側糊代部６３０が一連に設けられている。この裏側糊代部６３０および裏側傾斜面部６２０が第２取付リング３３０を構成する。そして、糊代部３２１および裏側糊代部６３０にて振動板３００を挾持する状態に振動板３００の取付孔３１０に取付リング６００が取り付けられ、接着円筒部６１０の内周側にボイスボビン２３１が嵌挿された状態で内周面がボイスボビン２３１の外周面に取り付けられ、振動板３００とボイスボビン２３１とが連結される。このような１つの構成とすることで、部品点数が少なくなり、接着箇所も減少でき、製造性を向上できる。
【００４３】
そしてさらに、図７に示す実施の形態において、例えば図８に示すように、糊代部３２１と裏側糊代部６３０とに対向方向に向けて周方向に壁状となる位置決め取付リブ６５０を一連に設けてもよい。このような構成によれば、振動板３００と取付リング６００との接着面積が向上し、接着強度を向上できるとともに、振動板３００の取付孔３１０との位置決めが確実となり、位置ズレを生じることなく良好に取り付けできる。
【００４４】
また、第１取付リング３２０および第２取付リング３３０、さらには取付リング６００は、全面に黒色塗膜を設けた構成に限らず、表面側のみなど一部のみでもよく、黒色塗膜を設けなくてもよい。さらに、黒色であれば塗膜に限られない。
【００４５】
さらに、第１取付リング３２０および第２取付リング３３０として、幅寸法が全周で同一となる環状に形成したが、例えば振動板３００との振動による引張力が強く作用する方向で接着代が多くなる状態に部分的に糊代部３２１や裏側糊代部６３０を幅広に形成したり、傾斜面部３２２や裏側傾斜面部６２０を舌片状に複数設けたりして部分的にボイスボビン２３１と接着する構成としたりするなどしてもよい。
【００４６】
また、補強凹凸部３３１として第２取付リング３３０にのみ設けて説明したが、第１取付リング３２０にも設けるなど、第１取付リング３２０および第２取付リング３３０のうちの少なくともいずれか一方に設けることができる。さらには、双方に設けなくてもよい。
【００４７】
そして、振動板３００は平板状に限らず、例えば一面側に拡開するコーン型、１つの振動板３００に複数のスピーカユニット２００を設けるものなど、いずれの形態のスピーカとして適用できる。
【００４８】
その他、本発明の実施の際の具体的な構造および手順は、本発明の目的を達成できる範囲で他の構造などに適宜変更できる。
【００４９】
〔実施の形態の効果〕
上述したように、環状の第１取付リング３２０における外周側に設けられた平板環状の糊代部３２１を振動板３００の一面側である表面側に取付孔３１０の開口縁に位置して取り付け、この第１取付リング３２０における内周側に設けられ取付孔３１０の開口縁より中心に向けて鍔状に突出する傾斜面部３２２をボイスボビン２３１の外周面に取り付ける。さらに、平板環状の第２取付リング３３０の外周側を振動板３００の他面側である裏面側に取り付け、この第２取付リング３３０における取付孔３１０の開口縁より中心に向けて鍔状に突出する内周側をボイスボビン２３１の外周面に取り付ける。このため、振動板３００におけるボイスコイルボビン２３０との連結部分となる取付孔３１０の開口縁は第１取付リング３２０および第２取付リング３３０にて挾持される状態であることから、音声データの入力によりボイスコイルボビン２３０が軸方向で移動して振動板３００が振動する際に取付孔３１０の周縁に作用する押圧力および引張力が分散される状態となり、連結箇所となる取付孔３１０の周縁の損傷を防止できる。したがって、仮に大きな出力となる音声データが入力されても損傷することなく、また振動板３００が長期間損傷することはなく、安定した特性を維持できる。さらに、一対の第１取付リング３２０および第２取付リング３３０にて振動板３００を挾持する状態でボイスボビン２３１と軸方向の２箇所で連結することとなり、ボイスコイルボビン２３０の移動に伴って振動板３００も追従して一体的に移動する連結部分の剛性が容易に得られ、良好な音特性が得られる。
【図面の簡単な説明】
【００５０】
【図１】本発明における実施の一形態に係るスピーカ装置を示す一部を切り欠いた断面図である。
【図２】前記実施の一形態におけるスピーカユニットを示す一部を切り欠いた平面図である。
【図３】前記実施の一形態における第２取付リングを示す下面からの平面図である。
【図４】本発明における他の実施の形態に係るスピーカ装置のスピーカユニットを示す一部を切り欠いた断面図である。
【図５】本発明におけるさらに他の実施の形態に係るスピーカ装置を示す一部を切り欠いた断面図である。
【図６】本発明におけるさらに他の実施の形態に係るスピーカ装置の振動板の取付孔近傍を示す断面図である。
【図７】本発明におけるさらに他の実施の形態に係るスピーカ装置の振動板の取付孔近傍を示す断面図である。
【図８】本発明におけるさらに他の実施の形態に係るスピーカ装置の振動板の取付孔近傍を示す断面図である。
【符号の説明】
【００５１】
１００，５００…スピーカ装置
２００……スピーカユニット
２１１……フレーム
２１２……磁気回路を構成する磁気回路部
２３１……ボイスボビン
２３２……コイルであるボイスコイル
３００……振動板本体としての振動板
３１０……取付孔
３２０……第１取付部としての第１取付リング
３２１……糊代部
３２２……取付面部としての傾斜面部
３３０……第２取付部としての第２取付リング
３３１……補強リブとしての補強凹凸部
【図１】
2007110647.tif 000003
【図２】
2007110647.tif 000004
【図３】
2007110647.tif 000005
【図４】
2007110647.tif 000006
【図５】
2007110647.tif 000007
【図６】
2007110647.tif 000008
【図７】
2007110647.tif 000009
【図８】
2007110647.tif 000010